(57)【要約】      （修正有）【課題】風力発電装置の巨大化による広大な敷地と場所的な条件、これに伴い強風による危険度これらを解決するため増設型風力発電装置を、提供する。【解決手段】装置を巨大化するのではなく、１年を通しての風力を計算し、安全な寸法を定めます。比較的小型になった風受羽根９を数多く取り付けた主軸７を２段、３段と設置し、巨大化した装置に近い力を作り出すのが増設型発電装置です。まず基礎となる鉄塔を組立てます。強度計算をし、図２の様に増設用鉄柱Ｅ、Ｆと主軸受６を使って増設用鉄柱を組立てます。次に主軸１段目と、２段目の寸法を決め、主軸ジョイント部Ａ，Ｂの加工をし、増設用鉄塔にセットする。次に主軸の決められた位置に羽根受け具８をセットする。この羽根受け具は、各羽根受け具毎に３０°〜４５°の角度を付けて、螺旋状に取り付ける様にセットされている。【選択図】図２
2018003827.tif 000002
【特許請求の範囲】
【請求項１】
増設型風力発電装置（横回転方式）が主体である。
横回転方式は風を無駄なく捕らえる方法であること、それに伴い強い力を得ることが出来る、したがって大形化するには、多少無理がある、そこであまり大形でない装置で大きな力を得るためには、増設型が考えられる。
【請求項２】
しかし、いくら計算された小形の風受け羽根でも１度に多くの羽根が風を受けた場合は、かなりの負荷がかかります、そこで１枚ごとに３０°〜４５°の角度を持たせ、螺旋状にすることにより、１度に大きな力が加わることなく、スムーズな回転を得ることが出来る。１数目の羽根が風を最大に受けた時次の羽根は風を、最大に受け、３数目の羽根が風を受け始めます。このように跡切れることなく風を受けつづけ、大きな力と、スムーズな回転を得ることが出来ます。
【請求項３】
いくら強度計算された上で組立てられた鉄塔でも雨風、太陽の熱などの自然の力によって、少しの歪みを生じることもあります、その場合  ジョイント部の  図５  によって、（７）主軸ジョイント部の歪みが修正されスムーズな回転が得られます。
【発明の詳細な説明】
【技術分野】
【０００１】本発明は、増設型風力発電装置に関するものである。
【背景技術】
【０００２】従来一般的に見られ、実用化されている、風力発電装置は、プロペラ型、であり、かなり巨大な物であり、底辺  数メートル、上部１メートル強、高さ凡そ、６０〜７０メートル強の円筒形の鉄柱の上に発電装置を、取り付け、装置の先端に、プロペラ上の羽根、１枚が巾２メートル位先端の方が細くなった、長さ４０〜５０メートル程の羽根３枚を取り付けその羽根が風を受けて回転し、発電装置を動かしているものです。
（このプロペラ型風力発電装置は、プロペラの回転が立て方向となっています。）
今回の増設型発電装置は、（横回転方式であります。）
（横回転方式の背景技術は、次の  先行技術文献  で参照します。）
【先行技術文献】
【特許文献】
【０００３】
【特許文献１】  特開  ２０１４−０８４７１８
【特許文献２】  特開  ２００５−２８２５４０
【特許文献３】  特開  ２００５−１７１８６８
【特許文献４】  特開平  １１−２０１０２０
【特許文献５】  特表  ２０１４−５１０２２５
【特許文献６】  実登  ３１８６８４９
【発明の概要】
【発明が解決しようとする課題】
【０００４】（イ）従来一般的に見られる、プロペラ型風力発電装置は、かなり巨大な物であり、広大な敷地と、場所的な、条件が必要です。
（ロ）前に強風にて、鉄柱の上部が折れて、落下した例が有る。
上部に、重量のある、発電装置と風受け羽根３枚が風を受けて、廻る力が加わり、かなりの負荷がかかり危険性も高い。
（ハ）先行技術文献で記した６件の文献については、ほとんどが、土台にセットされた所を、基点にして、すべての装置を、支えている為、上部の所が安定せず、大型化するには無理、
本発明は、以上の欠点を、改善し、より多くの力を得る為、設計しました。
【課題を解決するための手段】
【０００５】〔０００４〕で記した（イ）（ロ）（ハ）の課題を、解決するためには、すべての装置を巨大化するのではなく、年間を通じての風力を、考えた上での寸法、材質を、決めなくてはならない
したがって、寸法的には、多少小型な、物になる、
しかし、小型になると、主軸に伝わる力は、少なくなります。それを補うため、数多くの風受け羽根を設置し、その風受け羽根を、主軸に、３０度〜４５度の角度を付けて、螺旋状に取り付けます、
これで、たえず数枚の風受け羽根が風の正面を向いている状態になり、スムーズな回転を得られ、大きな力を主軸に伝えられます。
この形態の物を、増設型の１段目とし、２段目に増設するために１段目と、２段目の接点部、の構造を考えなければならない
１段目の主軸を、上部の接点に、ビヤリングで固定します、
このビヤリングは、（高速ビヤリング毎分８，０００回転対応以上の物を使います。これは、風速５０メートルの時を、想定した場合、風受け羽根の先端から先端を、５メートルとして（直径）Ｘ  ３．１４  ＝  円周率  風速÷円周率  ＝  秒速Ｘ６０  ＝  １分間の回転数
これでおよそ、１分間の回転数は、１，８００〜２，２００回転ほぼ許容内である。
前ページより
次に１段目の主軸が２段目の主軸と、つながるためのシステムが必要になります。ここで大事な事は、どんなに丈夫な鉄塔を組立てても雨風又は夏の太陽などで多少の歪みが生じる場合があります。そこでこの接点部を使って、歪み修正システム  図５  の主軸ジョイント部の歪み修正システムを、使って鉄塔の歪みを吸収し、スムーズな回転を生み出すようにします。
これが無いと、主軸がキシンだり、ビアリングに負荷がかかり痛める心配があります。
【発明の効果】
【０００６】本発明は、風受け羽根を、強風時でも痛める事のない寸法に定め回転方法も、横回転方式に定めた事により、風を切る音等少なく場所的な条件等、かなり緩和されます。
この横回転方式は、風のとらえかたが、ごく自然で効率のよい方法であり部品など痛める事のない方式である。
その上、風受け羽根を、主軸に取り付けるにあたり、風受け羽根１枚如に、３０度〜４５度の角度を付けて、設置する。これによって１度に多くの風受け羽根に風が当たるのではなく、たえず数枚の風受け羽根が風の正面を向いている状態になり、スムーズな回転と大きな力を主軸に伝える事が出来ます。
本発明は、特に、装置の安定を第一に考え、一番重量のかかる、発電装置を下部の土台の上に設置し、上部の部品は軽く丈夫な材質にする、
これによって、安定性のある装置が出来上がります。
【図面の簡単な説明】
【０００７】
【図１】本発明の増設型発電装置横回転方式  １段目の斜視図である  本斜視図  図１  の物は、単体で使う事も出来る  これは増設型の元になる型体であり、この内から（７）主軸  （８）羽根受け具  （９）風受け羽根を増設型に使用します。
【図２】本発明の増設型発電装置横回転方式の２段型斜視図である
【図３】２段型発電装置の上に３段目を増設するための斜視図である  このように増設用鉄柱の強度によっては、又数段増設する事も出来る。
【図４】一般的に設置してある送電用鉄塔の空間を利用した場合の斜視図  送電用鉄塔を使用した場合、これを設置してある場所が小高い山の上とか人家の少ない場所が多いため、発電装置を設定する場合、都合がよい  送電用鉄塔利用の利用価値は、高いのですが鉄塔使用が、可能な場合のみです。
【図５】本発明の増設型ジョイント部の構造図である鉄柱が雨風によって多少の歪みを招じた場合でも、これを吸収し、主軸がスムーズな回転を、可能にするためのシステムである。
【発明を実施するための形態】
【０００８】以下、本発明、実施の形態を説明する  図１  斜視図に記載したように
（イ）（１）土台を、寸法に従がって、左右に設置する。
（ロ）（１）土台の中間に（７）主軸がくるように（２）発電装置を設置する
（ハ）左右の（１）土台の定められた位置に（３）基礎材を（５）垂直補強材と（４）基礎補助材を使って正確に設置する。
（ニ）（６）主軸受を（３）基礎材の上部に取り付ける
（ホ）（７）主軸を（２）発電装置上部の（Ａ）主軸取り付具と（Ｂ）主軸取り付け具によって（６）主軸受にセットする。
（ヘ）次に（８）羽根受け具を（７）主軸の定められた位置に各羽根受け具毎に３０°〜４５°の角度を付けて取り付ける
（ト）（８）羽根受け具の両先端に（９）風受け羽根を方向を定めて取り付けます。
※この形態は、単体で使うものであり、増設形の基本となる物である。
増設形は、この基本形の内（７）主軸と（８）羽根受け具（９）風受け羽根とを、効率よく使って、増設形を、組み立てた物である
（以下、本発明の単体形を増設形に実施する形態を説明する）
本発明の単体形で大きな発電効率を引き出す場合、すべての装置を巨大化する必要が有る。しかし巨大化すると、大きな敷地と場所的な制限がかかります。その上装置や部品に大きな力がかかり故障が生じる恐れが大きくなり危険度も高まります。これらを解決する方法として、装置を巨大化するのではなく、１年を通しての風力を計算して、比較的小型化した部品を使い多くの（９）風受け羽根を設置した増設形が考えられます。
図１  の（７）主軸（８）羽根受け具（９）風受け羽根各小型のままこれらを１セットとして、
図２  図３  の様に装置を積み重ねて行くのです。積み重ねて行くためにまず基礎となる鉄柱を組立てます。強度計算をした上で  図２  にある様に（Ｆ）増設用鉄柱（Ｅ）増設用鉄柱（６）主軸受を使って、増設用鉄塔を組立てます。
次に（７）主軸１段目と２段目の寸法を決め  図５  主軸ジョイント部の加工をし増設用鉄塔にセットする、このジョイント部の加工は、増設用鉄塔が自然の力雨風、太陽の熱などによって多少の歪みを生じた場合でも（７）主軸が、スムーズな回転を保つための、システムである
次に（７）主軸の決められた位置に（８）羽根受け具をセットする
各羽根受け具は各羽根受け具毎に、３０°〜４５°の角度を付けて螺旋状に取り付ける。風には多少の強弱がある、それを（７）主軸にスムーズに伝えるためである。
【符号の説明】
【０００９】１  土台
２  発電装置
３  基礎材
４  基礎補助材
５  垂直補強材
６  主軸受
７  主軸
８  羽根受け具
９  風受け羽根
Ａ  主軸取付具１
Ｂ  主軸取付具２
Ｅ  増設用鉄柱
Ｆ  増設用鉄柱
Ｇ  歪み修正システム  図５
【送電用鉄塔の空間を利用した場合の形態】
【００１０】現在使われている、送電用鉄塔の５０〜６０％が、小高い山の上とか、人家の少ない場所に設置されているのが多いのです。その上鉄塔の上部だけ使われ、その下部は、ほとんど使われていません、そこに増設用発電装置を設置することを、提案いたします
送電用鉄塔の強度は充分それに耐える物であり、作り出した電気を送り出す場合も、それを充分に満す装置が備わっているのです。
送電用鉄塔の中央下部に（２）発電装置を設置し、鉄塔の各段、棚の所をジョイント部として、棚に（６）主軸受を設ける  １段目と２段目の寸法を計り（７）主軸を寸法に合わせ、カット歪み修正システムの加工を施す
これを、２段目、３段目と、積み重ねて行くのです。
もっとも送電用鉄塔は上に行くにしたがって細くなっています、これに合せて（８）羽根受け具の長さを調整します。
※  これは、飽く迄、送信用鉄塔がつかえる場合のみです。
【図１】
2018003827.tif 000003
【図２】
2018003827.tif 000004
【図３】
2018003827.tif 000005
【図４】
2018003827.tif 000006
【図５】
2018003827.tif 000007